(57)【要約】電気的に誘発されるエマルジョン製品分離の発生を低減する、静電噴霧装置（５）及び静電噴霧装置（５）用カートリッジが開示される。その装置（５）及び／又はカートリッジは、実質的に製品貯蔵器の周りに導電性の高電圧遮蔽体を備えることにより、電気的に誘発されるエマルジョン製品分離を低減することができる。あるいは、その装置（５）及び／又はカートリッジは、帯電された製品が製品貯蔵器へ逆流できないように、帯電場所にある製品が製品貯蔵器と流体連通するのを防止することができる。あるいは、その装置及び／又はカートリッジは、帯電場所とノズル出口オリフィスの間の製品体積を最小化することにより、電気的に誘発されるエマルジョン製品分離を低減することができる。
2004517715.tif 000002
【特許請求の範囲】
【請求項１】
製品を静電的に帯電させ、供給部から散布点へ分配するように構成され配置されている静電噴霧装置であって、前記装置が、
該製品の該供給部を含んで構成される貯蔵器と、
該散布点に配置され且つ該製品を散布するためのノズルであって、出口オリフィスを有するノズルと、
前記貯蔵器と前記ノズルとの間に配置されたチャネルであって、前記製品が前記チャネル内を移動する時に該製品の静電的帯電を可能にするチャネルと、
電荷を供給する電源と、
前記電源に電気的に接続されている高電圧供給源と、
前記高電圧供給源に電気的に接続された高圧電極であって、前記高圧電極の一部が前記貯蔵器と前記ノズルとの間に配置されており、前記チャネル内の該製品を帯電場所において静電的に帯電させる高圧電極と、
前記貯蔵器を包囲する高電圧遮蔽体であって、前記高電圧遮蔽体が導電性である高電圧遮蔽体とを特徴とする静電噴霧装置。
【請求項２】
前記高電圧遮蔽体が、導電性プラスチックの高電圧遮蔽体及び金属の高電圧遮蔽体からなる群の１つから選択される、請求項１に記載の静電噴霧装置。
【請求項３】
前記高電圧遮蔽体が、該貯蔵器の一体部分である、請求項１に記載の静電噴霧装置。
【請求項４】
前記貯蔵器が、取外し可能なカートリッジの部分である、請求項３に記載の静電噴霧装置。
【請求項５】
前記貯蔵器への逆流を防止するための弁を更に具備する、請求項１に記載の静電噴霧装置。
【請求項６】
前記高電圧遮蔽体が、前記貯蔵器の壁を形成する、請求項１に記載の静電噴霧装置。
【請求項７】
静電噴霧装置と共に使用するための、製品を収容し送出するように構成されたカートリッジであって、
該製品を収容するように構成された貯蔵器と、
該製品を散布するためのノズルであって、出口オリフィスを有するノズルと、
前記貯蔵器と前記ノズルとの間に配置されたチャネルであって、前記製品が前記チャネル内を移動する時に該製品の静電的帯電を可能にするチャネルと、
該静電装置から電力を受け取るための高電圧接点と、
前記高電圧接点に電気的に接続された高圧電極であって、前記ノズルから散布するために該製品を帯電させるように構成されている高圧電極と、
前記貯蔵器を実質的に包囲する導電性の高電圧遮蔽体とを特徴とするカートリッジ。
【請求項８】
製品を静電的に帯電させ、供給部から散布点へ分配するように構成され配置されている静電噴霧装置であって、前記装置が、
製品の該供給部を含んで構成され、容積を持った貯蔵器と、
該散布点に配置され且つ該製品を散布するためのノズルであって、出口オリフィスを有するノズルと、
前記貯蔵器と前記ノズルとの間に配置されたチャネルであって、前記製品が前記チャネル内を移動する時に該製品の静電的帯電を可能にするチャネルと、
電荷を供給する電源と、
前記電源に電気的に接続されている高電圧供給源と、
前記高電圧供給源に電気的に接続された高圧電極であって、前記高圧電極の一部が前記貯蔵器と前記ノズルとの間に配置されており、前記チャネル内の該製品を帯電場所において静電的に帯電させる高圧電極とを特徴とし、
該装置が、該製品を収容するのに利用可能な容積を前記高圧電極と前記ノズル出口オリフィスとの間に有し、前記容積が、目的とする製品適用体積の約２０％未満、及び前記貯蔵器の前記容積の約１０％未満からなる群の１つ又はそれ以上から選択される静電噴霧装置。
【請求項９】
前記チャネルが、約１より大きい、前記高圧電極から前記ノズル出口オリフィスまでの前記チャネルの長さの比を有する、請求項１２に記載の静電噴霧装置。
【請求項１０】
静電噴霧装置と共に使用するための、製品を収容し送出するように構成されたカートリッジであって、
該製品を収容するように構成され容積を持った貯蔵器と、
該製品を散布するためのノズルであって出口オリフィスを有するノズルと、
前記貯蔵器と前記ノズルとの間に配置されたチャネルであって、前記製品が前記チャネル内を移動する時に該製品の静電的帯電を可能にするチャネルと、
該静電装置から電力を受け取るための高電圧接点と、
前記高電圧接点に電気的に接続された高圧電極であって、前記ノズルから散布するために該製品を帯電させるように構成されている高圧電極とを特徴とし、
該カートリッジが、該製品を収容するのに利用可能な容積を前記高圧電極と前記ノズル出口オリフィスとの間に有し、前記容積が、目的とする製品適用体積の約２０％未満、及び前記貯蔵器の前記容積の約１０％未満からなる群の１つ又はそれ以上から選択されるカートリッジ。
【発明の詳細な説明】
【０００１】
（関連出願の相互参照）
本出願は、出願人らによりこれに先立って１９９９年８月１８日に出願された米国特許出願Ｎｏ．０９／３７７，３３２、及び１９９９年８月１８日に出願された米国特許出願Ｎｏ．０９／３７７，３３３の一部継続出願である。
【０００２】
（本発明の技術分野）
本発明は、個人使用向けに設計された可搬静電噴霧装置に関する。特に、本発明は、電流に誘発される製品分離の低減／解消をもたらす、電子回路及び機械設計両面の改善を提供することを中心とする。
【０００３】
（発明の背景）
オーエン（Ｏｗｅｎ）に対して発行された米国特許第４，５４９，２４３号（「オーエン参考文献」）において、噴霧が塗布される領域が正確に制御できることが望ましいグラフィック作業のような用途のために、人の手で保持できる噴霧装置が記載されている（第１段、５〜９行）。オーエン参考文献で開示された装置は、カートリッジを具備することができる貯蔵器を含み、カートリッジは、再充填可能とすることができ、本体部材から取り外すことができるのでその貯蔵器は交換可能である（第３段、４９〜５２行）。オーエン参考文献は、高電圧発生器（これは本体部材内にあってもよく、これから離れていてもよい）からカートリッジへ高電位を印加するための接点を本体部材が備えることを開示する。カートリッジが電気的に導電性の物質で作製されている場合には、高電位は、ノズルへ直接、又はカートリッジ壁を通して内部液体へ入り次に液体を通ってノズルへの伝導の、いずれかにより伝導される（第４段、３５〜４３行）。従って、オーエン参考文献の装置では、電流は、製品貯蔵器を通過するか、又は高電圧をノズルに直接印加する。しかし、製品エマルジョンは、電気的に誘発される分離を生じることが多く、そこでは製品エマルジョンの構成成分が分離することがある。この発明は又、高電圧がノズルに直接印加されて重大な感電の危険性がある装置では使うことができない。
【０００４】
プレンダードゥガスト（Ｐｒｅｎｄｅｒｄｇａｓｔ）の特許出願公開Ｎｏ．ＧＢ１９９６００９６２２６２３（「プレンダードゥガスト参考文献」）は、空気フレッシュニング及び空気純化のために使用でき、少量の物質及び／又は比較的短い継続時間で効果的な送出が可能な静電噴霧装置を提示している（１ページ、１〜８行）。プレンダードゥガスト参考文献で開示される静電噴霧装置は、噴霧する製品のカラムを経路内で確立する手段を提供する送出システムを含み、カラムの追従表面は貯蔵器内の物質の残りと分離していて、そのためにその隙間によりノズル先端と貯蔵器の間の電気的な遮断が可能となっている（６ページ、１０〜１５行）。プレンダードゥガスト参考文献は、望むならば貯蔵器が接地できて、使用者を貯蔵器内の物質から必ずしも絶縁する必要なく貯蔵器を内蔵する装置の部分を手で持つことができるようなシステムの利益を認識している。噴霧する物質の主本体を電圧が印加されるカラム又はスラグからそのように電気的に遮断すると、噴霧の間の装置静電容量が著しく減少できるので、特に有利であり得る（６ページ、１７〜２４行）。しかしながら、プレンダードゥガスト参考文献は、たとえ非常に小さい貯蔵器でも製品貯蔵器を通過する電流の防止を認証していない。
【０００５】
（発明の概要）
本発明は、電気的に誘発されるエマルジョン製品分離の発生を低減する、静電噴霧装置及び／又は静電噴霧装置用カートリッジを対象とする。その装置及び／又はカートリッジは、実質的に製品貯蔵器の周りに導電性の高電圧遮蔽体を備えることにより、電気的に誘発されるエマルジョン製品分離を低減することができる。あるいは、その装置及び／又はカートリッジは、帯電された製品が製品貯蔵器へ逆流できないように、帯電場所にある製品が製品貯蔵器と流体連通するのを防止することができる。あるいは、その装置及び／又はカートリッジは、帯電場所とノズル出口オリフィスの間の製品体積を最小化することにより、電気的に誘発されるエマルジョン製品分離を低減することができる。
【０００６】
（好ましい実施形態の詳細な説明）
典型的な静電噴霧装置の設計の第一のステップは、特定の製品又は用途に対する目標噴霧品質を特定することから始まる。「目標噴霧品質」は、噴霧液滴径、噴霧液滴径の分布、帯幅、及び噴霧直径の内の１つ又はそれ以上の組合せとして定義される。いずれの特定の用途においても、上述変数の１つ、２つ以上、又は全ての組合せが、その用途の目標噴霧品質を定義するために必要とされる。
【０００７】
目標噴霧品質を達成するために、装置の出力操作変数（例えば、高電圧出力、電流出力、製品流量）と、流体又は製品特性独特の集合（例えば、粘性、固有抵抗、表面張力）がつり合いをとる。所与の一組の環境変数（例えば、温度、湿度）、装置操作変数、及び流体特性に対して、具体的な目標噴霧品質に対する特定の電荷−質量比が存在する。電荷−質量比は、霧化された噴霧により運ばれる電荷量の重量に基づく指標であり、キログラム当りのクーロン（Ｃ／ｋｇ）で表すことができる。電荷−質量比は、目標噴霧品質を確実に維持するための有用な指標を提供する。噴霧塗布中の流体特性又は装置出力操作変数のいかなる変化も、噴霧品質の変化に繋がる。噴霧品質のこの変化は、電荷−質量比の変化に対応する。
本明細書は、本発明を特定して指摘し明確に請求する請求項をもって結論とするが、本発明は、添付図面と連係してなされる以下の説明からより良く理解される。
【０００８】
図１及び２は、使い捨てカートリッジ２００を有する手持ち式自蔵型の静電噴霧装置５を示す。使い捨てカートリッジ２００は、化粧品、皮膚クリーム、及び皮膚ローションを含むがこれに限定されない、様々な製品を含有することができる。使い捨てカートリッジ２００内の製品は、歯車箱／電動機構成要素１０により動かされて、以下に説明するように積極的に移動することができる。歯車箱／電動機構成要素１０は、左又は第一のハウジング３０の上に固定することができる。歯車箱／電動機構成要素１０は、機械的に、接着剤で、又はいかなる他の適切な技法でも、所定の場所に取り付けることができる。歯車箱／電動機構成要素１０は、歯車箱１０ｂに連結された精密電動機１０ａを具備することができる。電源２０が、電動機１０ａ及びカートリッジ２００の高圧電極へ電力を提供する。適切な電源２０の例は、２つの「ＡＡＡ」型電池を含むがこれに限定されない。電源２０は、制御回路６０を通して高電圧供給源４０へ、次いで使い捨てカートリッジ２００に接触する高電圧接点５０へ電力を供給する。以下で説明するように、高電圧供給源４０は、制御回路６０により動力供給され制御される。入力スイッチ８０により、使用者は、電源２０と制御回路６０間の電気的接続を遮断することができる。入力スイッチ８０により、スイッチ８０が「オン」又は閉位置にある時にだけ、電圧が回路の残部へ供給できるようになる。塗布スイッチ７０により、使用者は、電動機１０ａを選択的に活性化することができ、これにより製品の送出及び噴霧が活性化される。歯車箱／電動機構成要素１０は、歯車箱１０ｂの軸に例えば止めねじで固定された駆動体９０を有する。駆動体９０は、突き出した幾つかの例えば３つの指部を有し、指部はアクチュエータ２４０の後側の一致する窪みへ嵌入することができる。
【０００９】
本発明の第一の態様は、電界勾配を減少させ、次に電流が製品貯蔵器を通るのを防止する方法を提供する。電界勾配の減少は、流体貯蔵器を囲む領域を安定させるために、及び製品貯蔵器から装置内のより低い電位の隣接場所への電流漏れを防ぐために、高電圧遮蔽体を組み入れることにより達成することができる。理論で制限されるわけではないが、導電性の相及び非導電性の相を有する製品エマルジョンが製品貯蔵器の中に貯蔵されると、製品貯蔵器内からの高電界勾配が製品を貫く電流を引き起こすことができるので、製品を導電相及び非導電相に分離させると考えられる。電気的に誘発される分離にかけられた後では、製品を再エマルジョン化又は再混合して元の製品設計の品質にするのは難しくなり得ることも観察された。製品の電気的に誘発される分離により、製品の流体特性、例えば、粘性、固有抵抗、表面張力などの１つ又はそれ以上が変化することがあるので、得られる噴霧の電荷−質量比も変化することがある。電荷−質量比が変化すると、噴霧の形成に影響を与え、目標噴霧品質の達成を妨げることがある。しかも、１３〜１５ｋＶの範囲の電圧は、厳重に絶縁しない限り、約６〜１０ｍｍ以下の距離を横切ってアークを出すことができる。その結果、電流が、噴霧媒質を通って帯電点から製品貯蔵器内へ流入し、コロナ漏れによって回路接地又は使用者の手などより低電位の隣接対象物へ流出することができる。本発明の一実施形態では、導電性遮蔽体を製品貯蔵器の周りに置くことができ、これを帯電場所にある帯電電極と同一の電位に荷電して、噴霧媒質を通ること及びその周りの電流を制御することができる。遮蔽体は、貯蔵器の周りに高圧電位を提供することができるので、電流が貯蔵器内の製品を通って電極から貯蔵器の近傍にあるより低電位の対象物へ至る危険性が低減又は解消される。むしろ、コロナ漏れ又は火花放電による電流は、抵抗がより少ない高電圧遮蔽体を優先的に通って流れるので、製品貯蔵器を通る電流は減少又は解消する。
【００１０】
本発明の図３に示すような第一の実施形態では、使い捨てカートリッジ２００が、製品貯蔵器２２０の外側周辺の実質的に周りに配置された導電性遮蔽体２１０を有する。導電性遮蔽体２１０は、導電性プラスチック（例えば、炭素繊維を１０％充填したアクリロニトリルブタジエンスチレン（ＡＢＳ））、金属（例えば、アルミニウム）、又は他の適切な物質を使用して構築することができる。導電性遮蔽体２１０は、共射出成形、２ショット成型、又は他の製造技法により、カートリッジ絶縁体２６０の一体部品として形成することができる。あるいは、導電性遮蔽体２１０は、別個に形成して、圧入嵌合を含むがこれに限定されないいかなる適切な技法により、後にカートリッジ絶縁体２６０に連結させることができる。アクチュエータ２４０は、使い捨てカートリッジ２００の非放電端部に配置される。アクチュエータ２４０は、ねじ付き軸２５０の一端を通すための内側ねじと、製品貯蔵器２２０の開放端部へ嵌り込むためのスナップビード２４５とを有することができる。ねじ付き軸２５０の反対側端部は、回転して移動するピストン２３０を有することができる。ねじ付き軸２５０は、これによりピストン２３０とアクチュエータ２４０を連結して、アクチュエータ２４０が歯車箱／電動機構成要素１０により廻されるのに応じて、ピストン２３０は製品貯蔵器２２０の内側表面に沿ってノズル２７０へ向かって滑ることができる。このように、ピストン２３０のこの移動が、製品を製品貯蔵器２２０から移動させることができる。
【００１１】
あるいは、製品貯蔵器２２０は、導電性物質で形成して、貯蔵器２２０の周りに別個の導電性遮蔽体を有する代わりに、製品貯蔵器を高電位に維持することに使用できる。カートリッジ絶縁体２６０は、導電性製品貯蔵器２２０から製品貯蔵器２２０の近くに隣接するより低電位の点への放電を防ぐことができる。製品貯蔵器２２０は、炭素繊維を１０％充填したアクリロニトリルブタジエンスチレン（ＡＢＳ）のような電気的に導電性物質のプラスチックで成型することができる。カートリッジ絶縁体２６０は、導電性製品貯蔵器２２０からより低電位を有する装置内対象物への放電を防ぐ絶縁カバーを提供する。この実施形態では、導電性遮蔽体２１０が必要とされない。
【００１２】
本発明の別の態様では、静電噴霧装置の帯電場所内にある製品を製品貯蔵器との流体連通の範囲外に保持することにより、送出システムは製品貯蔵器２２０を通る電流を防止できる。例えば、図４に示す蠕動ポンプのような送出システムを使用して、放電場所の中の製品を製品貯蔵器から物理的に遮断することができる。蠕動ポンプは、複数のローラー３１０を使用して、ローラーが中央ハブ３２０上で回転する時に、送出管３００を締め付けて回すことにより製品を送出する。ローラー３１０の締付け動作が、帯電場所内にある製品と製品貯蔵器２２０内にある製品との流体連通を絶つ。これにより、電流が製品を通じて帯電場所から製品貯蔵器２２０へ流れるのが防止される。
【００１３】
本発明の図５及び６に示すような更に別の態様では、電極帯電場所４００とノズル出口オリフィス２８０の間にある流体製品の体積を制限することができる。これらの場所間の体積を最小化しても電気的に誘発される製品分離が解消される訳ではないが、電気的に誘発されるいかなる製品分離をも比較的小さな製品体積に閉じ込めることにより、噴霧品質への影響を最小化することができる。理論に縛られることは望まないが、電気的に誘発される製品分離が製品の体積内で一旦始まると、電流がもはや存在しなくなった後の時間にさえもそのプロセスが続くと考えられている。
【００１４】
製品の塗布時間が比較的に標準的である本発明の第一の実施形態では、帯電点と装置から製品を散布する点との間に存在する、一回の塗布の間に散布される総製品の百分率ＶＰは、次の式で表すことができる。
ＶＰ＝（Ｖｎ／ＦＲ）×Ｔａ×１００
上式において、
Ｖｎ＝帯電場所と装置から製品を散布する点の間の製品体積（ｃｍ３）
ＦＲ＝体積流量（ｍＬ／分）
Ｔａ＝一回の塗布当りの時間（分）
好ましくは、帯電場所と装置から製品を散布する点の間にある製品の体積は、一回の製品塗布の間に送出される製品体積の約２０％未満である。この体積は、より好ましくは一回の製品塗布の間に送出される製品体積の約１０％未満、最も好ましくは一回の製品塗布の間に送出される製品体積の約５％未満である。この実施形態においては、帯電場所と製品散布点の間で生じる電流への暴露に起因するいかなる製品分離も最小化される。
【００１５】
製品塗布の塗布時間が標準的でない第二の実施形態では、帯電場所と装置から製品を散布する点の間の製品の体積Ｖｎは、噴霧実施の全体における電気的に分離したいかなる製品の影響をも最小化するために、製品貯蔵器の全容積と比較することができる。この百分率は次のように表すことができる。
Ｖｎ／Ｖｒ×１００＜１０％
上式において、
Ｖｎ＝帯電場所と装置から製品を散布する点の間の製品体積（ｃｍ３）
Ｖｒ＝製品貯蔵器の全容積内に収容された製品体積（ｃｍ３）
好ましくは、帯電場所と装置から製品を散布する点の間にある製品の体積は、製品貯蔵器の容積の約１０％未満である。この体積は、より好ましくは製品貯蔵器の容積の約５％未満、最も好ましくは製品貯蔵器の容積の約１％未満である。この実施形態においては、帯電場所と製品散布点の間で生じる電流への暴露に起因するいかなる製品分離も最小化される。
【００１６】
本発明の更に別の態様は、帯電場所と装置から製品を散布する点の間の流体通路の好ましい容積を決定する方法を規定することである。この関係は、帯電場所と製品散布点の間の流体通路がほぼ円柱性質である静電噴霧装置に適用可能である。流体通路の長さと流体通路の直径の最適な比は、次の関係で特徴付けできることが判明した。
Ｌｎ／ｄ＞１
上式において、
Ｌｎ＝帯電場所と製品散布点（通常はノズル先端）の間の直線的な距離
ｄ＝概ね円柱形の流体通路の直径
この関係は、長さと直径の好ましい関係を規定する。好ましくはこの比は１より大きく、より好ましくはこの比は約５より大きく、最も好ましくはこの比は約１０より大きい。この場合、電流に直接曝される製品の体積、従って電気的に誘発される製品分離を受けやすい製品体積が最小化できる。
【００１７】
電気的に誘発される製品分離の影響に関して、この分離が一旦始まると、電界勾配が除去され、高圧電力が切られ、貯蔵装置静電容量が完全に排出された後、この分離が製品を分離し続け得ることも分かった。従って、帯電場所とノズルオリフィス（製品を霧化した噴霧の形成を発生させ支持するために電流が意図的に製品を通して通過する場所）の間の製品分離が製品貯蔵器中へ逆流するのを防ぐことが有利である。これを達成する１つの手段は、リード型若しくはダックビル型の弁５００、又は図７に示すような逆止（一方向）型の弁などの弁を備えることである。その弁によって、製品送出システムが作動している時には、製品が一方向へ流れることができ、次に製品送出システムが作動していない時には、バルブが閉じて逆流を防ぐ（逆流は、帯電場所とノズルオリフィスの間の製品が製品貯蔵器へ戻ることとして定義される）。
【００１８】
本発明の更に別の態様では、噴霧性能に対する電気的に誘発された製品分離の影響の低減は、噴霧作業が完了した後に、帯電場所と製品散布点の間の流体をパージすることにより達成できる。このパージ作業により、分離した製品を次の噴霧作業の前に取り除くことができる。操作者が噴霧操作を完了して装置へのエネルギー供給を切った後、製品送出手段が、帯電場所とノズル出口オリフィスの間の流体体積をパージするのに十分な時間は作動を続けるように、パージを遅延スイッチ又はタイマーの形態の電子回路によって達成させることができる。従って、電流に曝された製品が、そのような電流に曝されなかった製品貯蔵器からの製品と混合又はこれに曝されることはない。この方法においては、操作者が次の塗布の準備ができた時には、帯電場所とノズル先端の間の流体は電流に曝されていない。この実施形態では、パージ回路は、送出手段が流体をパージするために作動している時には高圧発生回路を発生させる回路が作動しないように設計される。あるいは、パージ作業は、噴霧作業後の代わりに噴霧作業前に実行することもできる。
【００１９】
本発明の更に別の態様は、製品貯蔵器２２０内又はそれに続く製品送出通路内のいずれかにおいて、分離した物質を機械的に混合及び再懸濁する手段に関する。第一の実施形態では図８に例示するように、１つ以上の混合ボール２９０が製品貯蔵器２２０内に置かれる。次に、使い捨てカートリッジ２００が操作者により揺動されると、混合ボール２９０が製品貯蔵器２２０内で動かされる。製品貯蔵器２２０内で混合ボール２９０が移動すると、製品貯蔵器２２０内で製品の乱流混合が達成され、これによりいかなる分離した製品も再構成される。使い捨てカートリッジ２００の揺動は、意図する静電噴霧装置の中又は外のいずれにある間に生じてもよいことが理解されるであろう。
【００２０】
混合ボールを備えた他の実施形態は、図９に示すような装置において供給される、電気的に活性化される混合システムを含む。この例では、電気的に活性化される混合システムは、実質的に製品貯蔵器２２０の外周の周りに配置された一連のワイヤコイル６００を備える。ワイヤコイル６００へ交流を通すことにより、ワイヤコイル６００間の電界が変化して、製品貯蔵器２２０内の１つ以上の混合ボール２９０を移動させる。製品貯蔵器２２０内で１つ以上の混合ボール２９０が移動すると、製品貯蔵器２２０内で製品の乱流混合が達成され、これにより分離した製品を再構成することができる。製品貯蔵器２２０内の混合をもたらすことができる更に別の実施形態は、振動機構を含む。振動機構は、製品貯蔵器２２０と流体連通して配置することができる。振動機構の振動動作は、製品貯蔵器２２０内に乱流混合を作り出すことができ、分離した製品を再構成することができる。
【００２１】
図１０に例示するような、製品混合をもたらす更に別の実施形態では、スタティックミキサー７００が、製品貯蔵器２２０とノズル出口オリフィス２８０の間に流体連通して配置される。スタティックミキサー７００は、直線流体流路と比較して流体流路内に高い程度の乱流混合を作り出すように設計される。流体流路内で達成される乱流混合は、いかなる分離した製品をも再構成すべきである。スタティックミキサー７００は次のものを含むが、これに限定されない。
【００２２】
１．他の形状でも価値を認めることができるが、図１０に例示するような螺旋型構造体。
２．少なくとも１つの穴８１０を有する、図１１に例示するような少なくとも１つの円盤８００。円盤８００は、製品流路中に挿入される。複数の円盤８００を挿入してもよく、より好ましくは乱流混合を増加するためにそれらの穴８１０は軸方向に整列しない。乱流混合の程度を変化させるために、当業者が、穴８１０の直径、穴８１０の位置、及び／又は穴８１０の数を変えることができることを理解されるであろう。図１１の実施形態では、穴８１０の直径は、約０．７６ｍｍ（０．０３０インチ）である。
３．一連の開口部９１０を有する、図１３に例示するような少なくとも１つのバッフル９００。バッフル９００は、製品流路中に挿入される。複数のバッフル９００を挿入してもよく、より好ましくは乱流混合を増加するためにそれらの開口部９１０は軸方向に整列しない。乱流混合の程度を変化させるために、当業者が、バッフル９１０の大きさ、バッフル９１０の位置、及び／又はバッフル９１０の数を変えることができることを理解されるであろう。
【００２３】
図１３に例示するような更に別の実施形態では、製品混合をもたらすために、プロペラミキサー１０００が製品貯蔵器２２０内に追加される。プロペラミキサー１０００は、ピストン２３０に連結されたパドルの形態をとることができる。ピストン２３０が上又は下に回転すると、プロペラミキサー１０００も同様に動き、それにより製品貯蔵器２２０内に乱流混合を作り出す。プロペラミキサー１０００は必ずしもピストン２３０に取り付けられる必要がないことを、当業者は理解されるであろう。そのような代替構成は次のものを含むが、これに限定されない。
【００２４】
１．製品貯蔵器２２０内又はそれに続く製品送出経路内のいずれかの他の回転部材（例えば、ねじ付き軸２５０）に取り付けられたプロペラミキサー１０００、又は
１．取り付けられておらず、むしろプロペラミキサー１０００が流体流１に応じて長手方向軸の周りで回転できるような方法で入れられているプロペラミキサー１０００。
【００２５】
以上、本発明の好ましい実施形態を示し説明したが、本明細書で説明した本発明の更なる改変は、当業者が適切な変更を加えることにより、本発明の範囲を逸脱することなく達成することができる。これらの可能な変更及び代替案の幾つかは既に説明済みであり、その他は当業者には明白であろう。例えば、本発明の代表的な実施形態を説明の目的で検討したが、説明した要素は、技術的な進歩により絶えず更新され改良されることを理解する必要がある。従って、本発明の範囲は次の請求項に関して考察されるべきであり、明細書及び図面に示して説明した構成、操作、又は工程の詳細事項に限定されないことを理解する。
【００２６】
参考としての組み入れ
関連する静電噴霧装置及びカートリッジは、同時に出願し共に譲渡された次の米国特許出願に記載されており、参考として本明細書に組み入れる。
代理人整理番号８３９４に指定された「静電噴霧装置」。
代理人整理番号８３９６に指定された「静電噴霧装置」。
代理人整理番号８３９７に指定された「静電噴霧装置用使い捨てカートリッジ」。
【図面の簡単な説明】
【図１】使い捨てカートリッジを有する手持ち式自蔵型の静電噴霧装置の組立分解等角図である。
【図２】図１の装置の組立等角図である。
【図３】図１の使い捨てカートリッジの組立分解等角図である。
【図４】蠕動ポンプの断面側面図である。
【図５】本発明の使い捨てカートリッジの一実施形態の断面図である。
【図６】本発明の使い捨てカートリッジの一実施形態の部分断面図である。
【図７】本発明の使い捨てカートリッジの一実施形態の断面図である。
【図８】本発明の使い捨てカートリッジの一実施形態の断面図である。
【図９】本発明の使い捨てカートリッジの一実施形態の断面図である。
【図１０】本発明の使い捨てカートリッジの一実施形態の断面図である。
【図１１】乱流混合を増加するために少なくとも１つの円盤を有する使い捨てカートリッジの等角図である。
【図１２】乱流混合を増加するために少なくとも１つのバッフルを有する使い捨てカートリッジの等角図である。
【図１３】プロペラミキサーを有する使い捨てカートリッジの断面図である。
【国際公開パンフレット】
2004517715.tif 000003
2004517715.tif 000004
2004517715.tif 000005
2004517715.tif 000006
2004517715.tif 000007
2004517715.tif 000008
2004517715.tif 000009
2004517715.tif 000010
2004517715.tif 000011
2004517715.tif 000012
2004517715.tif 000013
2004517715.tif 000014
2004517715.tif 000015
2004517715.tif 000016
2004517715.tif 000017
2004517715.tif 000018
2004517715.tif 000019
2004517715.tif 000020
2004517715.tif 000021
2004517715.tif 000022
2004517715.tif 000023
2004517715.tif 000024
2004517715.tif 000025
2004517715.tif 000026
2004517715.tif 000027
2004517715.tif 000028
2004517715.tif 000029
2004517715.tif 000030
【国際調査報告】
2004517715.tif 000031
2004517715.tif 000032